(57)【特許請求の範囲】
【請求項１】
対象者の生理情報を取得する生理情報取得部を有する入力部と、
開口部から室内に入射する日射を遮蔽する日射遮蔽部と、前記日射遮蔽部を駆動する駆動部と、を有する出力部と、
前記対象者の通常の生理情報を予め記憶している人物情報記憶部を有する記憶部と、
前記生理情報取得部が取得した前記対象者の生理情報と前記人物情報記憶部が記憶している前記対象者の通常の生理情報とから前記対象者が眩しいと感じたか否かを判定する判定部と、前記判定部によって前記対象者が眩しいと感じていると判定された場合に前記日射遮蔽部を閉じるように前記駆動部を駆動する処理部と、を有する制御部と、
を備え、
前記入力部は、室内の環境情報を取得する室内環境情報取得部を有し、
前記判定部は、前記対象者が眩しいと感じたと判定した場合であっても、前記室内環境情報取得部が取得した室内の環境情報に応じて、前記日射遮蔽部の状態を維持する
ことを特徴とする日射遮蔽システム。
【請求項２】
対象者の生理情報を取得する生理情報取得部を有する入力部と、
開口部から室内に入射する日射を遮蔽する日射遮蔽部と、前記日射遮蔽部を駆動する駆動部と、を有する出力部と、
前記対象者の通常の生理情報を予め記憶している人物情報記憶部を有する記憶部と、
前記生理情報取得部が取得した前記対象者の生理情報と前記人物情報記憶部が記憶している前記対象者の通常の生理情報とから前記対象者が眩しいと感じたか否かを判定する判定部と、前記判定部によって前記対象者が眩しいと感じていると判定された場合に前記日射遮蔽部を閉じるように前記駆動部を駆動する処理部と、を有する制御部と、
を備え、
前記記憶部は、現在から予め定めた所定の期間前までの前記出力部の出力状態の履歴を記憶する出力履歴記憶部を有し、
前記判定部は、前記対象者が眩しいと感じたと判定した場合であっても、前記出力履歴記憶部が記憶した前記出力部の出力状態の履歴に応じて、前記日射遮蔽部の状態を維持する
ことを特徴とする日射遮蔽システム。
【請求項３】
対象者の生理情報を取得する生理情報取得ステップと、
前記対象者の生理情報と予め記憶している前記対象者の通常の生理情報とから前記対象者が眩しいと感じたか否かを判定する判定ステップと、
前記対象者が眩しいと感じていると判定された場合に、開口部から室内に入射する日射を遮蔽する日射遮蔽ステップと、
室内の環境情報を取得するステップと、
前記対象者が眩しいと感じたと判定した場合であっても、取得した室内の環境情報に応じて、日射の遮蔽を維持するステップと、
を有する
ことを特徴とする日射遮蔽方法。
【請求項４】
対象者の生理情報を取得する生理情報取得ステップと、
前記対象者の生理情報と予め記憶している前記対象者の通常の生理情報とから前記対象者が眩しいと感じたか否かを判定する判定ステップと、
前記対象者が眩しいと感じていると判定された場合に、開口部から室内に入射する日射を遮蔽する日射遮蔽ステップと、
現在から予め定めた所定の期間前までの日射の遮蔽状態の履歴を記憶するステップと、
前記対象者が眩しいと感じたと判定した場合であっても、記憶した日射の遮蔽状態の履歴に応じて、日射の遮蔽を維持するステップと、
を有する
ことを特徴とする日射遮蔽方法。
【発明の詳細な説明】
【技術分野】
【０００１】
本発明は、室内に入射する日射量を調節する日射調節システム及び日射調節方法に関する。
【背景技術】
【０００２】
従来、ブラインド又はロールスクリーン等の日射遮蔽設備は、在室者が眩しいと感じた場合に手動で閉め、在室者が暗いと感じた場合に手動で開けるものであった。
【０００３】
近年、季節に応じた日射の傾き又は熱負荷計算等に基づき、開閉動作を自動化した日射遮蔽設備がある。例えば、天空輝度を求めることと、天空輝度を用いて、窓の周囲から外側へ突出した日射遮蔽物が窓面に与える影響、屋外の視界遮蔽物が窓面に与える影響、および地表面での反射が窓面に与える影響のうちの少なくとも１つを考慮しつつ、窓面輝度を求めることと、窓面輝度に基づいてブラインドのスラット角を制御する技術が開示されている（特許文献１参照）。
【先行技術文献】
【特許文献】
【０００４】
【特許文献１】特開２０１５−１２７４７０号公報
【発明の概要】
【発明が解決しようとする課題】
【０００５】
しかしながら、特許文献１に記載の技術等は、屋外環境などを考慮して窓面輝度を精度良く求め、精度良く求めた窓面輝度に基づいてブラインドを制御するものである。つまり、室内で作業等をしている在室者がどのように感じているかということを考慮した上で、日射遮蔽設備を自動で制御する技術は開示されていない。
【０００６】
本発明は、在室者の生理状態に基づいた上で、適切な環境に制御することが可能な日射調節システム、及び、日射調節方法を提供することを目的とする。
【課題を解決するための手段】
【０００７】
本発明にかかる日射遮蔽システムは、
対象者の生理情報を取得する生理情報取得部を有する入力部と、
開口部から室内に入射する日射を遮蔽する日射遮蔽部と、前記日射遮蔽部を駆動する駆動部と、を有する出力部と、
前記対象者の通常の生理情報を予め記憶している人物情報記憶部を有する記憶部と、
前記生理情報取得部が取得した前記対象者の生理情報と前記人物情報記憶部が記憶している前記対象者の通常の生理情報とから前記対象者が眩しいと感じたか否かを判定する判定部と、前記判定部によって前記対象者が眩しいと感じていると判定された場合に前記日射遮蔽部を閉じるように前記駆動部を駆動する処理部と、を有する制御部と、
を備え、
前記入力部は、室内の環境情報を取得する室内環境情報取得部を有し、
前記判定部は、前記対象者が眩しいと感じたと判定した場合であっても、前記室内環境情報取得部が取得した室内の環境情報に応じて、前記日射遮蔽部の状態を維持する
ことを特徴とする。
【０００８】
また、本発明にかかる日射遮蔽システムは、
対象者の生理情報を取得する生理情報取得部を有する入力部と、
開口部から室内に入射する日射を遮蔽する日射遮蔽部と、前記日射遮蔽部を駆動する駆動部と、を有する出力部と、
前記対象者の通常の生理情報を予め記憶している人物情報記憶部を有する記憶部と、
前記生理情報取得部が取得した前記対象者の生理情報と前記人物情報記憶部が記憶している前記対象者の通常の生理情報とから前記対象者が眩しいと感じたか否かを判定する判定部と、前記判定部によって前記対象者が眩しいと感じていると判定された場合に前記日射遮蔽部を閉じるように前記駆動部を駆動する処理部と、を有する制御部と、
を備え、
前記記憶部は、現在から予め定めた所定の期間前までの前記出力部の出力状態の履歴を記憶する出力履歴記憶部を有し、
前記判定部は、前記対象者が眩しいと感じたと判定した場合であっても、前記出力履歴記憶部が記憶した前記出力部の出力状態の履歴に応じて、前記日射遮蔽部の状態を維持する
ことを特徴とする。
【００１４】
本発明にかかる日射遮蔽方法は、
対象者の生理情報を取得する生理情報取得ステップと、
前記対象者の生理情報と予め記憶している前記対象者の通常の生理情報とから前記対象者が眩しいと感じたか否かを判定する判定ステップと、
前記対象者が眩しいと感じていると判定された場合に、開口部から室内に入射する日射を遮蔽する日射遮蔽ステップと、
室内の環境情報を取得するステップと、
前記対象者が眩しいと感じたと判定した場合であっても、取得した室内の環境情報に応じて、日射の遮蔽を維持するステップと、
を有する
ことを特徴とする。
【００１５】
また、本発明にかかる日射遮蔽方法は、
対象者の生理情報を取得する生理情報取得ステップと、
前記対象者の生理情報と予め記憶している前記対象者の通常の生理情報とから前記対象者が眩しいと感じたか否かを判定する判定ステップと、
前記対象者が眩しいと感じていると判定された場合に、開口部から室内に入射する日射を遮蔽する日射遮蔽ステップと、
現在から予め定めた所定の期間前までの日射の遮蔽状態の履歴を記憶するステップと、
前記対象者が眩しいと感じたと判定した場合であっても、記憶した日射の遮蔽状態の履歴に応じて、日射の遮蔽を維持するステップと、
を有する
ことを特徴とする。
【発明の効果】
【００２１】
本発明にかかる日射遮蔽システムによれば、
対象者の生理情報を取得する生理情報取得部を有する入力部と、
開口部から室内に入射する日射を遮蔽する日射遮蔽部と、前記日射遮蔽部を駆動する駆動部と、を有する出力部と、
前記対象者の通常の生理情報を予め記憶している人物情報記憶部を有する記憶部と、
前記生理情報取得部が取得した前記対象者の生理情報と前記人物情報記憶部が記憶している前記対象者の通常の生理情報とから前記対象者が眩しいと感じたか否かを判定する判定部と、前記判定部によって前記対象者が眩しいと感じていると判定された場合に前記日射遮蔽部を閉じるように前記駆動部を駆動する処理部と、を有する制御部と、
を備え、
前記入力部は、室内の環境情報を取得する室内環境情報取得部を有し、
前記判定部は、前記対象者が眩しいと感じたと判定した場合であっても、前記室内環境情報取得部が取得した室内の環境情報に応じて、前記日射遮蔽部の状態を維持するので、
室外の状況を設計段階で予め考慮する必要が無く、対象者の生理状態に基づいた上で、室内の視覚的な状態を適切な環境に制御することが可能となる。また、リアルタイムの環境に応じて室内を適切に制御することが可能となる。
【００２２】
さらに、本発明にかかる日射遮蔽システムによれば、
対象者の生理情報を取得する生理情報取得部を有する入力部と、
開口部から室内に入射する日射を遮蔽する日射遮蔽部と、前記日射遮蔽部を駆動する駆動部と、を有する出力部と、
前記対象者の通常の生理情報を予め記憶している人物情報記憶部を有する記憶部と、
前記生理情報取得部が取得した前記対象者の生理情報と前記人物情報記憶部が記憶している前記対象者の通常の生理情報とから前記対象者が眩しいと感じたか否かを判定する判定部と、前記判定部によって前記対象者が眩しいと感じていると判定された場合に前記日射遮蔽部を閉じるように前記駆動部を駆動する処理部と、を有する制御部と、
を備え、
前記記憶部は、現在から予め定めた所定の期間前までの前記出力部の出力状態の履歴を記憶する出力履歴記憶部を有し、
前記判定部は、前記対象者が眩しいと感じたと判定した場合であっても、前記出力履歴記憶部が記憶した前記出力部の出力状態の履歴に応じて、前記日射遮蔽部の状態を維持するので、
室外の状況を設計段階で予め考慮する必要が無く、対象者の生理状態に基づいた上で、室内の視覚的な状態を適切な環境に制御することが可能となる。また、システムに対して過度の負担を与えずに室内を適切に制御することが可能となる。
【００２８】
本発明にかかる日射遮蔽方法によれば、
対象者の生理情報を取得する生理情報取得ステップと、
前記対象者の生理情報と予め記憶している前記対象者の通常の生理情報とから前記対象者が眩しいと感じたか否かを判定する判定ステップと、
前記対象者が眩しいと感じていると判定された場合に、開口部から室内に入射する日射を遮蔽する日射遮蔽ステップと、
室内の環境情報を取得するステップと、
前記対象者が眩しいと感じたと判定した場合であっても、取得した室内の環境情報に応じて、日射の遮蔽を維持するステップと、
を有するので、
室外の状況を設計段階で予め考慮する必要が無く、対象者の生理状態に基づいた上で、室内の視覚的な状態を適切な環境に制御することが可能となる。また、リアルタイムの環境に応じて室内を適切に制御することが可能となる。
【００２９】
さらに、本発明にかかる日射遮蔽方法は、
対象者の生理情報を取得する生理情報取得ステップと、
前記対象者の生理情報と予め記憶している前記対象者の通常の生理情報とから前記対象者が眩しいと感じたか否かを判定する判定ステップと、
前記対象者が眩しいと感じていると判定された場合に、開口部から室内に入射する日射を遮蔽する日射遮蔽ステップと、
現在から予め定めた所定の期間前までの日射の遮蔽状態の履歴を記憶するステップと、
前記対象者が眩しいと感じたと判定した場合であっても、記憶した日射の遮蔽状態の履歴に応じて、日射の遮蔽を維持するステップと、
を有するので、
室外の状況を設計段階で予め考慮する必要が無く、対象者の生理状態に基づいた上で、室内の視覚的な状態を適切な環境に制御することが可能となる。また、システムに対して過度の負担を与えずに室内を適切に制御することが可能となる。
【図面の簡単な説明】
【００３５】
【図１】本実施形態の日射調節システムを示す。
【図２】本実施形態の日射調節システムの制御ブロック図を示す。
【図３】本実施形態の日射調節システムの制御フローチャートを示す。
【図４】本実施形態の日射調節システムのステップ１での判定方法を示す。
【図５】本実施形態の日射調節システムのステップ４での条件１を満足する場合を示す。
【図６】本実施形態の日射調節システムのステップ４での条件１を満足しない場合を示す。
【図７】本実施形態の日射調節システムのステップ４での条件２を満足する場合を示す。
【図８】本実施形態の日射調節システムのステップ４での条件２を満足しない場合を示す。
【図９】本実施形態の日射調節システムのステップ６での判定方法の第１例を示す。
【図１０】本実施形態の日射調節システムのステップ６での判定方法の第２例を示す。
【図１１】本実施形態の日射調節システムのステップ６での判定方法の第３例を示す。
【図１２】本実施形態の日射調節システムのステップ６での判定方法の第４例を示す。
【図１３】本実施形態の日射調節システムの照度判定フローチャートを示す。
【発明を実施するための形態】
【００３６】
以下、図面を参照して本発明にかかる日射調節システムの実施形態を説明する。
【００３７】
図１は、本実施形態の日射調節システム１を示す。図２は、本実施形態の日射調節システム１の制御ブロック図を示す。
【００３８】
本実施形態の日射調節システム１は、少なくとも在室者の生理情報を検出する入力部２と、ブラインド又はロールスクリーン等で日射を遮蔽する出力部３と、あらかじめ対象者となる在室者の情報等を記憶する記憶部４と、入力部２から入力された情報及び記憶部４に記憶された情報に応じて出力部３を制御する制御部５と、を備える。
【００３９】
入力部２は、在室する対象者の生理情報を取得する生理情報取得部２１、及び、室内の環境情報を取得する室内環境情報取得部２２を有することが好ましい。本実施形態の生理情報取得部２１は、在室者の生理情報として、在室者の顔の向き又は表情、特に目Ｅに関する情報を検出することが好ましい。ここで、目Ｅに関する情報とは、例えば、目を細める動作、白目と黒目の面積、窓を見つめている連続時間数のカウント等でよい。目の動きの分析は、赤外線を使用して広告の注視効果を測る手法として用いられているアイトラッキング等で行えばよい。また、本実施形態の室内環境情報取得部２２は、室内の環境情報として、室内照度又は室内温度等を検出する。室内照度は照度計、室内温度は温度計を用いて計測すればよい。入力部２は、建物に設置してもよいし、ウェアラブル端末型であってもよい。
【００４０】
出力部３は、開口部から室内に入射する日射を遮蔽可能な日射遮蔽部３１と、日射遮蔽部３１を駆動する駆動部３２と、を有する。本実施形態の日射遮蔽部３１は、ブラインド又はロールスクリーン等の日射を遮蔽可能なものでよい。そして、駆動部３２は、ブラインド全体の開閉や羽の傾斜、又は、ロールスクリーンの開閉を行うモータ等でよい。
【００４１】
記憶部４は、あらかじめ室内を使用する人物の生理情報を記憶しておく人物情報記憶部４１と、出力部３の現在から予め定めた所定の期間前までの前記出力部の出力状態の履歴を記憶する出力履歴記憶部４２と、を有する。人物情報記憶部４１は、例えば、室内を使用する可能性のある複数の人物の瞼の上下間距離、瞳孔径、又は眉間距離等をデータ化してパソコンや記憶媒体等に保存しておく。出力履歴記憶部４２は、最近の所定期間の出力部３の状態を記憶しておく。そして、出力部３が所定の回数を超えて過度に状態を変更している場合には、制御部５が出力部３の状態変更を停止するような制御をすることが可能となる。
【００４２】
制御部５は、入力部２が取得した対象者の生理情報と記憶部４が記憶している対象者の通常の生理情報とから対象者が眩しいと感じたか否かを判定する判定部５１と、判定部５１によって対象者が眩しいと感じていると判定された場合に出力部３の日射遮蔽部３１を閉じるように駆動部３２を駆動する処理部５２と、を有する。また、制御部５は、出力部３が所定の回数を超えて過度に状態を変更している場合には、出力部３の状態変更を停止してもよい。例えば、出力履歴記憶部４２に記憶された予め定めた所定期間内のブラインドの開閉を切り替える回数が予め定めた所定の回数よりも多い場合、出力部３に過度の負担を与えすぎていると判定部５１が判定し、処理部５２から出力部３への切替指示を停止する。
【００４３】
図３は、本実施形態の日射調節システム１の制御フローチャートを示す。
【００４４】
まず、ステップ１で、開口部Ｏｐの近傍に人物が存在するか否かを判定する（ＳＴ１）。ステップ１において、開口部Ｏｐの近傍に人物が存在する場合には、ステップ２に進み、開口部Ｏｐの近傍に人物が存在しない場合、制御を終了する。
【００４５】
図４は、本実施形態の日射調節システム１のステップ１での判定方法を示す。
【００４６】
図４に示すように、開口部Ｏｐは、窓等の室内に日射が差し込む部分である。開口部Ｏｐの室内側又は室外側には、制御対象となるブラインド又はロールスクリーン等の出力部３が設置されている。ここでは、開口部Ｏｐから予め定めた所定の距離を開口部Ｏｐの近傍とする。所定の距離は、センサ等の性能によって決定すればよい。また、開口部Ｏｐの側方に設置された壁の近傍を含んでもよい。
【００４７】
このように設定した開口部Ｏｐ近傍に、人物が存在するか否かの判定は、入力部２として、開口部Ｏｐ付近の壁Ｗに設置した人感センサ又は在室者が装着したウェアラブルセンサ等を用いればよい。
【００４８】
本実施形態では、図４に示すように、開口部Ｏｐ及び壁Ｗから５ｍまでを開口部Ｏｐの近傍と設定する。そして、判定部５１は、開口部Ｏｐ付近の壁Ｗに設置した人感センサによって５ｍ以内と検出された人物Ａ，Ｂ，Ｃを対象者候補に選択し、人物Ｄを対象外とする。
【００４９】
次に、ステップ２で、人物が静止しているか否かを判定する（ＳＴ２）。ステップ２において、人物が静止している場合、ステップ３に進み、人物が静止しない場合、制御を終了する。
【００５０】
人物が静止しているか否かの判定は、入力部２として、開口部Ｏｐ付近の壁Ｗに設置したカメラ等の撮像部又は在室者が装着した加速度センサ等を用いればよい。センサによって検出した結果、判定部５１は、静止している人物を対象者候補に選択し、静止していない人物を対象外とする。
【００５１】
次に、ステップ３で、ステップ２において対象候補とした人物の顔が検出可能か否かを判定する（ＳＴ３）。ステップ３において、人物の顔が検出可能な場合、ステップ４に進み、人物が人物の顔が検出可能でない場合、制御を終了する。
【００５２】
対象候補とした人物の顔が検出可能か否かの判定は、入力部２として、開口部Ｏｐ付近の壁に設置したカメラ等の撮像部等を用いればよい。例えば、カメラが撮像した画像から肌色を検出した場合、又はサーモカメラから得た熱画像から皮膚温度域を検出した場合には、ステップ２において判定部５１が対象候補とした人物のうち、顔が検出可能な人物を対象候補として選択し、顔が検出可能でない人物を対象外とする。なお、在室者が装着したウェアラブルセンサの情報から推測してもよい。
【００５３】
次に、ステップ４で、対象候補とした人物の視界に開口部Ｏｐの所定の面積が入っているか否かを判定する（ＳＴ４）。本実施形態では、以下の２つの条件を両方とも満たす場合に、人物の視界に開口部Ｏｐの所定の面積が入っていると判定する。ステップ４において、人物の視界に開口部Ｏｐの所定の面積が入っている場合、ステップ５に進み、人物の視界に開口部Ｏｐの所定の面積が入っていない場合、制御を終了する。
【００５４】
本実施形態の条件１は、視界に開口部Ｏｐが含まれることである。ここで、視界は、顔の中心線から左右に所定の角度範囲とする。条件２は、開口部Ｏｐの端部と開口部Ｏｐ側の視界境界線がなす角度、及び、顔の中心線と開口部Ｏｐ側の視界境界線がなす角度が予め定めた所定の角度以上である。なお、条件１と条件２の所定の角度は、同一でも異なっていてもよい。
【００５５】
図５は、本実施形態の日射調節システム１のステップ４での条件１を満足する場合を示す。図６は、本実施形態の日射調節システム１のステップ４での条件１を満足しない場合を示す。
【００５６】
図５（ａ）及び（ｂ）は、本実施形態の日射調節システム１のステップ４での判定において条件１を満足する場合を示す。本実施形態では、顔の中心線から左右６０°の範囲内を人物の視界Ｓとし、その視界Ｓ内に開口部Ｏｐが含まれる場合に条件１を満足することとする。すなわち、図５（ａ）及び（ｂ）に示すように、人物Ａ，Ｃは、条件１を満足している。
【００５７】
これに対して、図６に示す例は、顔の中心線ＦＣから左右に６０°の範囲内を人物の視界Ｓとし、その視界Ｓ内に開口部Ｏｐが含まれていないので、条件１を満足していない。すなわち、図６に示すように、人物Ｂは、条件１を満足していない。
【００５８】
図７は、本実施形態の日射調節システム１のステップ４での条件２を満足する場合を示す。図８は、本実施形態の日射調節システム１のステップ４での条件２を満足しない場合を示す。
【００５９】
図７は、本実施形態の日射調節システム１のステップ５での判定において条件２を満足する場合を示す。本実施形態では、開口部Ｏｐの端部と開口部Ｏｐ側の視界境界線ＳＬがなす角度、及び、顔の中心線と開口部Ｏｐ側の視界境界線ＳＬがなす角度が５０°以上の場合に条件２を満足することとする。すなわち、図７に示すように、人物Ａは、α≧５０°の位置で開口部Ｏｐを視界Ｓに入れているので、条件１を満足している。
【００６０】
これに対して、図８（ａ）に示す例では、開口部Ｏｐの端部と開口部Ｏｐ側の視界境界線ＳＬがなす角度βが５０°未満なので、条件２を満足していないこととする。すなわち、図８（ａ）に示すように、人物Ｃは、β＜５０°なので、条件２を満足していない。
【００６１】
なお、図８（ｂ）は、図７に示した人物Ａが室内の同じ位置に存在するが、開口部Ｏｐの幅が図７に示した例よりも狭い場合を示している。この場合には、開口部Ｏｐの端部と開口部Ｏｐ側の視界境界線ＳＬがなす角度γが５０°未満なので、条件２を満足していないこととする。すなわち、図８（ｂ）に示すように、図７と同じ位置に存在する人物Ａも開口部Ｏｐの幅によっては、条件２を満足しなくなる場合がある。
【００６２】
ここで、本実施形態の条件１に用いた６０°及び条件２に用いた５０°の数値は、説明上のものである。これらの数値は、開口部Ｏｐの幅等の構造及び設置箇所に応じて、個別の日射調節システム１毎に適宜決定すればよい。また、顔の向きの判定は、例えば、オムロンの「ＯＫＡＯ  Ｖｉｓｉｏｎ」（登録商標）等の顔画像センシング技術により行うことができる。画像センシングの解析は、建物側に設置されたセンサ又はウェアラブル等で行ってもよい。
【００６３】
次に、ステップ５で、ステップ４の結果に基づいて対象者を決定する（ＳＴ５）。この時、決定した対象者の生理情報を記憶部４から読み取る。対象者となり得る人物の通常時の生理情報は予め計測しておき、図２に示した記憶部４の人物情報記憶部４１に記憶させておけばよい。
【００６４】
次に、ステップ６で、対象者が眩しいと感じた生理情報があったか否かを検出する（ＳＴ６）。対象者が眩しいと感じたか否かの判定は、対象者の通常時の生理情報と、生理情報取得部２１が取得した現在の対象者の生理情報とを判定部５１が比較することによって行う。ステップ６において、対象者が眩しいという反応を示している場合、ステップ７に進み、対象者が眩しいという反応を示していない場合、ステップ８に進む。
【００６５】
ここで、ステップ６での判定方法について、いくつかの例を用いて説明する。
【００６６】
図９は、本実施形態の日射調節システム１のステップ６での判定方法の第１例を示す。
【００６７】
ステップ６での判定方法の第１例は、瞼の開度によって判定するものである。例えば、図９（ａ）に示すような予め計測しておいた対象者の通常の瞼の上下幅ｄ1と、図９（ｂ）に示すような生理情報取得部２１で取得した瞼の上下幅ｄ2とを比較し、（２／３）ｄ1≧ｄ2の場合に対象者が現在の状況を眩しいと感じて、瞼が反応していると判定し、（２／３）ｄ1＜ｄ2の場合には対象者が現在の状況を眩しいと感じていないと判定する。
【００６８】
図１０は、本実施形態の日射調節システム１のステップ６での判定方法の第２例を示す。
【００６９】
ステップ６での判定方法の第２例は、瞳孔径によって判定するものである。例えば、図１０（ａ）に示すような予め計測しておいた対象者の通常の瞳孔径ｄ3と、図１０（ｂ）に示すような生理情報取得部２１で取得した瞳孔径ｄ4とを比較し、１＋（１／２）ｄ3≧ｄ4の場合に対象者が現在の状況を眩しいと感じて、瞳孔が反応していると判定し、１＋（１／２）ｄ3＜ｄ4の場合には対象者が現在の状況を眩しいと感じていないと判定する。例えば、一般に瞳孔径は２mm〜６mmで変動するので、４mm以下となった場合に瞳孔が反応していると判定すればよい。
【００７０】
図１１は、本実施形態の日射調節システム１のステップ６での判定方法の第３例を示す。
【００７１】
ステップ６での判定方法の第３例は、眉間距離によって判定するものである。例えば、図１１（ａ）に示すような予め計測しておいた対象者の通常の眉間距離ｄ5と、図１１（ｂ）に示すような生理情報取得部２１で取得した眉間距離ｄ6とを比較し、（４／５）ｄ5≧ｄ6の場合に対象者が現在の状況を眩しいと感じて、瞳孔が反応していると判定し、（４／５）ｄ5＜ｄ6の場合には対象者が現在の状況を眩しいと感じていないと判定する。
【００７２】
図１２は、本実施形態の日射調節システム１のステップ６での判定方法の第４例を示す。
【００７３】
ステップ６での判定方法の第４例は、顔や目を逸らす挙動によって判定するものである。例えば、図１２（ａ）に示すような予め計測しておいた対象者の通常の眼間距離ｄ7と、図１２（ｂ）に示すような顔や目を逸らした時の生理情報取得部２１で取得した眼間距離ｄ8とを計測し、通常の眼間距離ｄ7でいる時間が予め定めた所定の時間ｔ0よりも短い場合、すなわち、ｔ0≧ｔ1の場合、対象者が現在の状況を眩しいと感じて顔を逸らしたと判定し、ｔ0＜ｔ1の場合には対象者が現在の状況を眩しいと感じていないと判定する。すなわち、開口に顔を向けている時間が短い場合に、眩しくて顔を逸らしたと判定する。
【００７４】
ステップ６において、対象者が眩しいという反応を示している場合、ステップ７で、日射遮蔽３１を閉じる（ＳＴ７）。ステップ６において、対象者が眩しいという反応を示していない場合、ステップ８で、日射遮蔽部３１の状態を維持する（ＳＴ８）。
【００７５】
このように、本実施形態の日射調節システム１によれば、室外の状況を設計段階で予め考慮する必要が無く、対象者の生理状態に基づいた上で、室内の視覚的な状態を適切な環境に制御することが可能となる。例えば、グレアや眩しさによる視覚的不快感を削減し、オフィス又は工場等の作業環境を適切に調節することができ、作業効率を向上させることが可能となる。
【００７６】
図１３は、本実施形態の日射調節システム１の照度判定フローチャートを示す。
【００７７】
本実施形態の日射調節システム１は、図３に示した制御フローチャートのステップ６以降に代えて、図１３に示した照度判定フローチャートを付加してもよい。
【００７８】
照度判定フローチャートは、まず、ステップ１１で、室内の机上面の照度が５００ｌｘ以上あるか否かを判定する（ＳＴ１１）。照度の判定は、照度センサを用いればよい。
【００７９】
ステップ１１において、室内の机上面の照度が５００ｌｘ以上の場合、ステップ１２で、図３に示したステップ６と同様に、対象者が眩しいと感じた生理情報が有ったか否かを判定する（ＳＴ１２）。
【００８０】
ステップ１２において、対象者が眩しいと感じた生理情報が有った場合、ステップ１３で、机上面の照度が５００ｌｘ以上であることを維持しつつ、日射遮蔽設備を閉じる（ＳＴ１３）。
【００８１】
ステップ１２において、対象者が眩しいと感じた生理情報がなかった場合、ステップ１４で、日射遮蔽設備を変更せず、そのまま維持する。
【００８２】
ステップ１１において、室内の机上面の照度が５００ｌｘ未満の場合、ステップ１５で、照明点灯率が変更可能か否かを判定する（ＳＴ１５）。
【００８３】
ステップ１５において、照明点灯率が変更可能な場合、ステップ１２に進む。ステップ１５において、照明点灯率が変更不可能な場合、ステップ１６で、図３に示したステップ６と同様に、対象者が眩しいと感じた生理情報が有ったか否かを判定する（ＳＴ１６）。
【００８４】
ステップ１６において、対象者が眩しいと感じた生理情報が有った場合、ステップ１４に進む。ステップ１６において、対象者が眩しいと感じた生理情報がなかった場合、ステップ１７で、日射遮蔽設備を開ける（ＳＴ１７）。
【００８５】
このように、本実施形態の日射調節システム１に用いる照度判定フローチャートによれば、出力履歴記憶部４２が記憶した出力部３の出力状態の履歴に応じて、日射遮蔽部３１の状態を維持するので、システムに対して過度の負担を与えずに室内を適切に制御することが可能となる。
【００８６】
以上、本実施形態の日射遮蔽システム１によれば、対象者の生理情報を取得する生理情報取得部２１を有する入力部２と、開口部Ｏｐから室内に入射する日射を遮蔽する日射遮蔽部３１と、日射遮蔽部３１を駆動する駆動部３２と、を有する出力部３と、対象者の通常の生理情報を予め記憶している人物情報記憶部４１を有する記憶部４と、生理情報取得部２１が取得した対象者の生理情報と人物情報記憶部４１が記憶している対象者の通常の生理情報とから対象者が眩しいと感じたか否かを判定する判定部５１と、判定部５１によって対象者が眩しいと感じていると判定された場合に日射遮蔽部３１を閉じるように駆動部３２を駆動する処理部５２と、を有する制御部５と、を備えるので、室外の状況を設計段階で予め考慮する必要が無く、対象者の生理状態に基づいた上で、室内の視覚的な状態を適切な環境に制御することが可能となる。
【００８７】
また、本実施形態の日射遮蔽システム１によれば、生理情報取得部２１は、対象者の少なくとも顔の一部の情報を取得するので、対象者の生理状態を的確に検出することが可能となる。
【００８８】
また、本実施形態の日射遮蔽システム１によれば、生理情報取得部２１は、対象者の瞼の開度を取得し、判定部５１は、人物情報記憶部に記憶された対象者の通常の瞼の上下間距離よりも、生理情報取得部２１が取得した対象者の瞼の上下間距離が短くなった場合に、対象者が眩しいと感じたと判定するので、対象者の生理状態をさらに的確に検出することが可能となる。
【００８９】
また、本実施形態の日射遮蔽システム１によれば、生理情報取得部２１は、対象者の瞳孔径を取得し、判定部５１は、４１人物情報記憶部に記憶された対象者の通常の瞳孔径よりも、生理情報取得部２１が取得した対象者の瞳孔径が短くなった場合に、対象者が眩しいと感じたと判定するので、対象者の生理状態をさらに的確に検出することが可能となる。
【００９０】
また、本実施形態の日射遮蔽システム１によれば、生理情報取得部２１は、対象者の眉間距離を取得し、判定部５１は、人物情報記憶部４１に記憶された対象者の通常の眉間距離よりも、生理情報取得部２１が取得した対象者の眉間距離が短くなった場合に、対象者が眩しいと感じたと判定するので、対象者の生理状態をさらに的確に検出することが可能となる。
【００９１】
また、本実施形態の日射遮蔽システム１によれば、入力部２は、室内の環境情報を取得する室内環境情報取得部２２を有し、判定部５１は、対象者が眩しいと感じたと判定した場合であっても、室内環境情報取得部２２が取得した室内の環境情報に応じて、日射遮蔽部３１の状態を維持するので、リアルタイムの環境に応じて室内を適切に制御することが可能となる。
【００９２】
また、本実施形態の日射遮蔽システム１によれば、記憶部４は、現在から予め定めた所定の期間前までの出力３の出力状態の履歴を記憶する出力履歴記憶部４２を有し、判定部５１は、対象者が眩しいと感じたと判定した場合であっても、出力履歴記憶部４２が記憶した出力部３の出力状態の履歴に応じて、日射遮蔽部３１の状態を維持するので、システムに対して過度の負担を与えずに室内を適切に制御することが可能となる。
【００９３】
さらに、本実施形態の日射遮蔽方法によれば、対象者の生理情報を取得する生理情報取得ステップと、対象者の生理情報と予め記憶している対象者の通常の生理情報とから対象者が眩しいと感じたか否かを判定する判定ステップと、対象者が眩しいと感じていると判定された場合に、開口部から室内に入射する日射を遮蔽する日射遮蔽ステップと、を有するので、室外の状況を設計段階で予め考慮する必要が無く、対象者の生理状態に基づいた上で、室内の視覚的な状態を適切な環境に制御することが可能となる。
【００９４】
また、本実施形態の日射遮蔽方法によれば、生理情報取得ステップは、対象者の少なくとも顔の一部の情報を取得するので、対象者の生理状態を的確に検出することが可能となる。
【００９５】
また、本実施形態の日射遮蔽方法によれば、対象者の少なくとも顔の一部の情報は、対象者の瞼の開度であって、判定ステップは、記憶された対象者の通常の瞼の上下間距離よりも、取得した対象者の瞼の上下間距離が短くなった場合に、対象者が眩しいと感じたと判定するので、対象者の生理状態をさらに的確に検出することが可能となる。
【００９６】
また、本実施形態の日射遮蔽方法によれば、対象者の少なくとも顔の一部の情報は、対象者の瞳孔径であって、判定ステップは、記憶された対象者の通常の瞳孔径よりも、取得した対象者の瞳孔径が短くなった場合に、対象者が眩しいと感じたと判定するので、対象者の生理状態をさらに的確に検出することが可能となる。
【００９７】
また、本実施形態の日射遮蔽方法によれば、対象者の少なくとも顔の一部の情報は、対象者の眉間距離であって、判定ステップは、記憶された対象者の通常の眉間距離よりも、取得した対象者の眉間距離が短くなった場合に、対象者が眩しいと感じたと判定するので、対象者の生理状態をさらに的確に検出することが可能となる。
【００９８】
また、本実施形態の日射遮蔽方法によれば、室内の環境情報を取得するステップと、対象者が眩しいと感じたと判定した場合であっても、取得した室内の環境情報に応じて、日射の遮蔽を維持するステップと、を有するので、リアルタイムの環境に応じて室内を適切に制御することが可能となる。
【００９９】
また、本実施形態の日射遮蔽方法によれば、現在から予め定めた所定の期間前までの日射の遮蔽状態の履歴を記憶するステップと、対象者が眩しいと感じたと判定した場合であっても、記憶した日射の遮蔽状態の履歴に応じて、日射の遮蔽を維持するステップと、を有するので、システムに対して過度の負担を与えずに室内を適切に制御することが可能となる。
【０１００】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【０１０１】
１…日射遮蔽システム
２…入力部
２１…生理情報取得部
２２…室内環境情報取得部
３…出力部
３１…日射遮蔽部
３２…駆動部
４…制御部
４１…判定部
４２…処理部
５…記憶部
５１…人物情報記憶部
５２…出力履歴記憶部
【図１】
0006610933.tif 000002
【図２】
0006610933.tif 000003
【図３】
0006610933.tif 000004
【図４】
0006610933.tif 000005
【図５】
0006610933.tif 000006
【図６】
0006610933.tif 000007
【図７】
0006610933.tif 000008
【図８】
0006610933.tif 000009
【図９】
0006610933.tif 000010
【図１０】
0006610933.tif 000011
【図１１】
0006610933.tif 000012
【図１２】
0006610933.tif 000013
【図１３】
0006610933.tif 000014